(57)【要約】【課題】実用的なジップファスナー及びジップファスナーに止具を形成する方法を提供すること。【解決手段】  本発明のジップファスナー２は、一対のテープ４、６と、当該テープ４、６の隣接縁部２０、２２に沿って設けられた噛合エレメント１２、１４とからなり、止具２６が成型されるギャップ２８を形成するため、テープは、一部切除されると共に、噛合エレメント１２、１４から離れる方向で、テープ縁部２０、２２に延びる止具２６が設けられる。【選択図】図１
2008206986.tif 000002
【特許請求の範囲】
【請求項１】
一対のファスナーテープ（４、６、７２、７４、９４、９６）と、当該テープ（４、６、７２、７４、９４、９６）の隣接縁部（２０、２２、８０、８２、１０８、１１０）に沿って設けられた噛合エレメント（１２、１４、７６、７８、９８、１００）とからなるジップファスナー（２）において、当該ファスナーテープ（４、６、７２、７４、９４、９６）は、当該噛合エレメント（１２、１４、７６、７８、９８、１００）の末端位置（３３、８９、１０６）に、当該ファスナー（２）の噛合エレメント（１２、１４、７６、７８、９８、１００）から離れる方向で、当該テープ縁部（２０、２２、８０、８２、１０８、１１０）に沿って延びる止具（２６、８４、８４´、９２）が設けられることを特徴とするジップファスナー。
【請求項２】
ファスナーテープ（４、６、９４、９６）は、テープ縁部（２０、２２、１０８、１１０）の間において、前記止具（２６、９２）によって連結されていることを特徴とする請求項１に記載されたジップファスナー。
【請求項３】
噛合エレメント（７６、７８）の末端位置（８９）の近傍に開放型の止具（８４、８４´）が設けられていることを特徴とする請求項１に記載されたジップファスナー。
【請求項４】
止具（２６）が設けられているテープ縁部（２０、２２）間には、ギャップ部（２８）が設けられており、当該ギャップ部（２８）は、噛合エレメント（１２、１４）が存在する領域におけるファスナーテープ（４、６）の縁部間の隙間よりも大きいことを特徴とする請求項２に記載されたジップファスナー。
【請求項５】
前記ギャップ部（２８）は、ファスナーテープ（４、６）の縁部（２０、２２）を切除することによって形成されていることを特徴とする請求項４に記載されたジップファスナー。
【請求項６】
前記ギャップ部（２８）を形成するために両方のファスナーテープ（４、６）の対面する縁部（２０、２２）が切除されていることを特徴とする請求項５に記載されたジップファスナー。
【請求項７】
開放型の止具（８４、８４´）によって、当該テープ縁部をカバーしていることを特徴とする請求項３のいずれか一つに記載されたジップファスナー。
【請求項８】
両方のファスナーテープ７（２、７４）の対面する縁部（８０、８２）が切除されていること及び、両方のテープ縁部（８０、８２）には開放型の止具（８４、８４´）が設けられていることを特徴とする請求項３に記載されたジップファスナー。
【請求項９】
当該ファスナー（２）の噛合エレメント（１２、１４）は、連続するコイルによって形成されていること、及び、当該コイルは、ファスナーテープ（４、６）の縁部（２０、２２）とともに切除されていることを特徴とする請求項５、６、７又は８に記載されたジップファスナー。
【請求項１０】
止具（２６）を成型した成型材料は、当該ファスナー（２）の少なくとも一方側においてテープ面の上に延びていることを特徴とする請求項１〜８のいずれか一つに記載されたジップファスナー。
【請求項１１】
ジップファスナー（２）は、耐水性ファスナー（２）であること、及び、ファスナーテープ（４、６）は、当該ファスナーテープ（４、６）のテープ層（５、７）の一方側又は両側に設けられた耐水性材料の層（８、１０）を含むことを特徴とする請求項１〜１０のいずれか一つに記載されたジップファスナー。
【請求項１２】
耐水シール構造を形成するために、当該耐水性層（８、１０）は、互いに当接していることを特徴とする請求項１０に記載されたジップファスナー。
【請求項１３】
止具（２６）の材料は、テープ（４、６）の一面をカバーするように延びていることを特徴とする請求項１〜８のいずれか一つに記載されたジップファスナー。
【請求項１４】
止具（２６）の材料は、耐水性層（８、１０）の隣接する領域をカバーするように延びていることを特徴とする請求項１１又は１２に記載されたジップファスナー。
【請求項１５】
止具（２６）の成型材料は、ファスナーテープ（４、６）の一端まで延びていることを特徴とする請求項１〜１４のいずれか一つに記載されたジップファスナー。
【請求項１６】
止具（２６）の成型材料は、テープ長さ方向に延びる延長部（５６）を形成していることを特徴とする請求項１５に記載されたジップファスナー。
【請求項１７】
テープ（４、６）を貫通して孔（６６）が設けられていること、及び、止具（２６）の成型材料は、当該孔（６６）を貫通して延びていることを特徴とする請求項１〜１６のいずれか一つに記載されたジップファスナー。
【請求項１８】
止具（２６）をファスナーテープ（４、６）に成型するための金型（１２０）の位置づけピン（１３０、１３０）を収容するため、ファスナーテープ（４、６）には、孔６０が設けられていることを特徴とする請求項１〜１７のいずれか一つに記載されたジップファスナー。
【請求項１９】
止具（８４、８４’）は、一つ以上の噛合エレメント（７６、７８）を包持していることを特徴とする先行する請求項のいずれか一つに記載されたジップファスナー。
【請求項２０】
ジップファスナー（２）に止具を形成する方法であって、当該方法は、ファスナーテープ（４、６）の縁部（２０、２２）を切除する工程と、当該ファスナーテープ（４、６）の切除された縁部に止具（２６）を成型する工程とから成ることを特徴とするジップファスナーに止具を形成する方法。
【請求項２１】
夫々のファスナーテープ（４、６）の切除された縁部に止具（２６）を成型する前に、対向する縁部（２０、２２）の間にギャップ部（２８）を形成するために一対のファスナーテープ（４、６）の対向するテープ縁部（２０、２２）の一方又は両方が切除されることを特徴とする請求項２０に記載されたジップファスナーに止具を形成する方法。
【請求項２２】
止具（２６）を成型する前に、止具（２６）の領域においてテープ縁部（２０、２２）から噛合エレメント（１２、１４）を切除することを特徴とする請求項２０又は２１に記載されたジップファスナーに止具を形成する方法。
【請求項２３】
噛合エレメント（１２、１４）は、当該噛合エレメント（１２、１４）が取り付けられているテープ領域とともに切除されることを特徴とする請求項２２に記載されたジップファスナーに止具を形成する方法。
【請求項２４】
当該ファスナーテープ（４、６）には、耐水性層（８、１０）が設けられていること、及び、止具（２６）は、当該耐水性層（８、１０）と相溶性である材料で成型され、止具（２６）を形成する材料は、耐水性層（８、１０）の面をカバーするように延びていることを特徴とする請求項２０〜２３のいずれか一つに記載されたジップファスナーに止具を形成する方法。
【請求項２５】
ファスナーテープ（４、６）において止具（２６）が成型される噛合エレメント（１２、１４）の端部の近傍には孔が形成されており、これによって、止具（２６）を形成する材料は、当該孔を通って流れることを特徴とする請求項２０〜２４のいずれか一つに記載されたジップファスナーに止具を形成する方法。
【発明の詳細な説明】
【技術分野】
【０００１】  本発明は、ジップファスナーに止具を取り付けることに関するものである。
【背景技術】
【０００２】  本発明は、特に成型された噛合エレメントを備えたジップファスナーに関するものであるが、本発明は、ファスナーテープの縁部の所定の位置に挟着された金属製のエレメントにも使用することが出来るのである。【０００３】  本発明は、耐水性スライドファスナーに役に立つのである。特に、ファスナーテープの一面において、噛合エレメントの面の上に、複数の耐水性層が互いに当接し、水の浸入を防ぐシールを形成する耐水性スライドファスナーのために役立つのである。このような耐水性スライドファスナーは、例えば、欧州特許出願公開第１１７５８４２号明細書及び欧州特許出願公開第１０５７４２３号明細書に開示されている。【０００４】  他のタイプの耐水性ファスナーも知られている。例えば、国際公開第０３／０３７１３２号パンフレットには、成型された噛合エレメントの中間の面に当接する耐水性層が配されていることが開示されている。又、特開２００４−３２１５４７号公報には、より強固な耐水性又は気密性のシールを形成するために強い力で耐水性層が連結されることが記載されている。【０００５】  ジップファスナーに止具を形成するために色々な方法が存在する。本発明は、特に、噛合エレメント列の端部においてファスナーテープが連結されている閉鎖型の止具、更に具体的に言えば、下止具を形成することに関するものである。本発明は、又、開口型の端部、特に上止具を形成するためにも役立つのである。前記下止及び上止は、スライドファスナーの開閉を操作するスライダーが抜け落ちないようにするために形成される。【０００６】  一般には、１本又は２本のファスナーテープに金属片を挟着することによって止具を形成する。下止具については、止具部材は、二本のテープを連結するように架橋して設け、上止具については、テープの縁部に金属部材を挟着して設ける。又は、各テープの縁部で噛合エレメントの端部に上止具を設けて開口型の止具としても良いのである。止具の取付を容易にするため、噛合エレメント列にギャップを形成しても良い。特に連続コイルタイプの噛合エレメントが使用された場合には、ギャップは、エレメントを除去することによって形成しても良いし、エレメントがテープ縁部に成型又は挟着されているディスクリートタイプのエレメント（単体エレメント）の間にギャップ即ちスペースを作ることによって簡単に形成することが出来る。【０００７】  連続コイルタイプの噛合エレメントについては、止具を形成するために噛合エレメント自体を使用する多数の試みが為されてきた。これらの試みは、一般に、（下止具については）対向するエレメントを連結した状態で溶融するため、又は、（上止具を形成するためには）テープ縁部において上端部の隣接するエレメントを溶融するため、例えば、英国特許出願公開第１２７０１７９号明細書に記載されているようなエレメントの溶融を伴うものであった。
【特許文献１】欧州特許出願公開第１１７５８４２号明細書
【特許文献２】欧州特許出願公開第１０５７４２３号明細書
【特許文献３】国際公開第０３／０３７１３２号パンフレット
【特許文献４】特開２００４−３２１５４７号公報
【特許文献５】英国特許出願公開第１２７０１７９号明細書
【発明の開示】
【発明が解決しようとする課題】
【０００８】  しかし、一般的に、従来のこのようにエレメントを溶融して止具を作ると、止具の形状が満足の行かないものになるという結果が生じたのである。
【課題を解決しようとする手段】
【０００９】  本発明の第１の特徴においては、ジップファスナーは、一対のファスナーテープと、当該テープの隣接縁部に沿って設けられた噛合エレメントとからなるジップファスナー２において、当該ファスナーテープは、当該噛合エレメントの末端位置に、当該ファスナーの噛合エレメントから離れる方向で、当該テープ縁部に沿って延びる止具が設けられるのである。
止具が設けられているテープ縁部間には、大形ギャップが設けられていることが好ましく、当該大形ギャップは、噛合エレメントが存在する領域におけるテープの対向する縁部間のギャップよりも大きい。
【００１０】  大形ギャップは、ファスナーテープの対面する縁部を切除することによって形成されていることが好ましい。噛合エレメントは、連続するコイルによって形成されていること、及び、当該コイルは、ファスナーテープの縁部とともに切除されていることが好ましい。
【００１１】  成型材料は、当該ファスナーの少なくとも一方側においてテープ面の上に延びていることが好ましい。
【００１２】  ファスナーは、耐水性ファスナーであることが好ましく、ファスナーテープの一方側又は両側には耐水性材料の層が設けられていることが好ましい。耐水シール構造を形成するために、当該耐水性層は、互いに当接していることが好ましい。
【００１３】  止具の材料は、テープの一面をカバーするように延びていることが好ましい。止具の材料は、耐水性層の隣接する領域をカバーするように延びていることが好ましい。止具の成型材料は、テープの一端まで延びていることが好ましく、テープ長さの延長部を形成していることが好ましい。成型材料は、噛合エレメントから離れたテープの外側縁部まで延びていることが好ましい。成型材料の厚みは、テープの外側縁部の方向にテーパーしていてもよい。
【００１４】  テープを貫通して孔が設けられていることが好ましい。止具の成型材料は、当該孔を貫通して延びている。テープの止具を成型するための金型の位置づけピンを収容するためテープに孔を設けることが好ましい。止具は、下止具であることが好ましい。
【００１５】  本発明の別の特徴においては、テープ縁部の噛合エレメントの上端部には上止具が設けられており、当該テープ縁部は止具によってカバーされている領域において切除されている。
【００１６】  本発明の更に別の特徴においては、止具は、テープを連結するためにファスナーテープの対向する縁部の間を成型することによって形成される。止具を成型する前に対向する縁部の間に大型ギャップを形成するため一つ又は両方の縁部を切除してもよい。止具を成型する前に止具の領域においてテープ縁部から噛合エレメントを削除しても良い。エレメントは、当該エレメントが取り付けられているテープ領域とともに切除することが好ましい。
【００１７】  止具は、テープの噛合エレメントのうちの末端のエレメントに近いことが好ましい。止具は、末端のエレメントと重合していても良く、末端のエレメントを包持していてもよい。
【００１８】  本発明の更に別の特徴においては、ジップファスナーに止具を形成する方法が提供される。当該方法は、ファスナーテープの縁部を切除する工程と当該ファスナーテープの切除された縁部に止具を成型する工程とからなる。
【００１９】  本発明の他の好ましい特徴は、以下の発明の詳細な説明及びここに添付した特許請求の範囲を読めば明白になる。
【実施例】
【００２０】  本発明は、添付図面を参考に実施例を例として以下に詳しく説明する。先ず図１及び図２に関して説明するが、これらの図面は、欧州特許出願公開第１０５７４２３号明細書に示されている一般型の耐水性ジップファスナーを示している。一対のファスナーテープ４、６は、ポリエステル材料で編成又は織成されたテープ層５、７で形成されている。当該技術分野において周知であるように、テープ層５、７の下面１６、１８には、テープ層の隣接する縁部２０、２２に噛合エレメント１２、１４が縫着されている。噛合エレメント１２、１４は、テープ４、６が形成されると同時に織込み又は編込みされてもよいのである。テープ層５、７の上面にはポリウレタンのようなエラストマー性を備える耐水性材料で作られた耐水性層８、１０が設けられている。これらの層の材料は、互いに容易に連結することができるように相容性である。相容性とは、互いに接着しやすい性質を有することである。耐水性層８、１０は、テープ層５、７に接着剤又は熱を使用して所定の位置でラミネート状に連結されてもよい。テープ層５、７の上に耐水性層８、１０を押出成型することによって耐水性層８、１０を形成することが好ましい。図３及び図５に観られるように、耐水性層８、１０は、ファスナーエレメント１２、１４の面の上で中心線２４の位置で当接し、耐水シールを形成している。ここまで説明してきた構造は、当該技術分野においては周知の構造である。【００２１】  噛合エレメント１２、１４は、図示を省略するスライダーによって噛合、解除される。前記スライダーは、ファスナーテープ面に平行な上翼部、下翼部を備え、それらが案内柱によって連結されている。ここでスライダーについては代表的な形状を記載したが、この形状に限定されないのはもちろんである。図１及び図２には、参照番号２６で示されている成型された下止具が示されている。【００２２】  先ず、図３及び図４を参照して止具２６の構成を説明する。図３及び図４は、止具２６を形成する前の状態のジップファスナー２を示している。図３及び図４からわかるように、ファスナーテープ４、６の一部が切除されて、噛合エレメントの末端位置３３から下方に延びるテープ縁部２０、２２の対向する縁部領域３０、３２の間に大きいギャップ２８が残る。この切除された領域は、噛合エレメント１２、１４及びこれらの噛合エレメントを支持しているテープ縁部を完全に除去する程十分に広く、残ったエレメント１２、１４の末端位置３３からファスナーテープ４、６の端部４０、４２まで下方に延びている。このため、噛合状態のジップファスナー２では、ギャップ部２８におけるテープ縁部間の間隔は、噛合エレメントの噛合状態の幅寸法よりも大きい。ギャップ２８は、例えば、プレスを使って打ち抜くことによって、ナイフ等を使用することによって、テープ縁部をシールするため加熱切断をすることによって、又はレーザーを使用する等の色々な方法のうちのどれか一つの方法で切除されれば良いのである。【００２３】  次に、図１及び図２を参照するとわかるように、所定の位置に止具２６を成型することによってギャップ２８が充填される。図１及び図２には、好ましい形態の止具２６が示されている。成型工程���際に耐水性層８、１０と連結させるために、止具２６は、耐水性層８、１０と相容性のある材料で成型される。そして、この場合、ポリウレタンが好ましい。止具２６の材料は、成型工程の際にテープ層５、７とも連結させるため、テープ層５、７の材料とも相容性のあることが好ましい。上に述べたように、耐水性層８、１０自体は、テープ層５．７に押出成型される際にファスナーテープ４、６と連結するようにファスナーテープ４、６の材料と相容性がある。止具２６は、耐水性層８、１０の上面３６、３８の上に延びている上側部分４４を備えた止具胴体３４を有している。止具胴体３４は、又、テープ層５、７の下面１６、１８の下に延びている下側部分４６も有している。止具胴体３４は、噛合エレメント１２、１４の末端位置３３の上にある噛合エレメントの最後の一つ又は二つ及びこの領域にあるテープ４、６の上面及び下面の双方を包含する即ちカバーするように延びている。止具胴体３４によって、噛合エレメント１２、１４の噛合解除を行う図示しないスライダーの抜け止めが為される。【００２４】  図６に示されているように、止具胴体３４は、テープ４、６の対向縁部３０、３２の間にあるギャップ２８を充填する。止具胴体３４は、又、生地テープ４、６の下面１６、１８及び耐水性層８、１０の上面３６、３８に載置され接着されるため、テープ縁部３０、３２に重なり合っている。【００２５】  図１について述べるが、止具２６の材料は、耐水性層８、１０の上面３６、３８をカバーするように延び、相容性のある耐水性層８、１０の上面３６、３８と接着する層５２を形成している。当該層５２は、エレメント１２、１４を離れたテープ４、６の外側縁部４８、５０まで延びており、図２に示されているように、縁部の周りに延びて、テープの幅を多少増大させてもよい。図２に示されているように、止具２６の材料は、生地層４、６の下面１６、１８をカバーするように延びる層５４を形成するが、層５２よりもカバーして延びる程度は小さいのである。層５４は、止具胴体３４の下側部分４６から、ファスナーテープ４、６の下側方向で、一対のファスナーテープ４、６の互いに対向する縁部２０、２２に沿って延びており、縁部２０、２２間に充填されて成型されている。止具本体３４の上側部分４４及び下側部分４６は、前記上面３６、３８と接着する層５２と下面１６、１８をカバーする層５４よりも突出している。【００２６】  止具２６の材料は、テープ４、６の端部４０、４２まで下方に延びており、テープ４、６の長さを長くし、テープ端部４０、４２にシールを形成する領域５６を形成するため、テープ端部４０、４２を越えて延びている。端部領域５６は、耐水性層８、１０と層６２との間に生地層５、７をサンドイッチ状に配するためにテープ端部４０、４２の周りに延びていてもよいのである。【００２７】  図１及び図２には、金型内の支持ピン（図９及び図１０を参照）が成型時にテープ４、６を所定位置に保持するために働いた層５２に形成された小さい孔５８と層６２に形成された孔６４が示されている。テープ４、６の下側コーナーに形成された孔６０（図３及び４）は、金型においてテープを固定位置に保持する位置づけピンのためのものである。図��には、又、成型時にエレメント１２、１４を所定位置に保持するために働く位置づけピンによって止具胴体３４の下側部分４６に形成された孔が示されている。図３及び図４に関して述べると、止具胴体３４の意図された位置において噛合エレメント１２、１４の夫々の側方に貫通孔６６が形成されている。噛合エレメント１２、１４の末端位置３３においてファスナーテープに止具胴体３４を把持する把持力を強めるために、止具胴体３４の材料はこれらの貫通孔６６を貫通して表裏面を連結している。【００２８】  大型ギャップ２８は、テープ端部４０、４２まで延びているけれども、当該ギャップ２８は、端部４０、４２まで到達せずに終了しても良いのである。しかしより魅力的な仕上げとなるように、テープ端部４０、４２まで延びる領域において噛合エレメントの全てを除去するのが好ましいのである。これによって、噛合エレメントなどによる凹凸が無くなり、着用者にとってはより快適になるのである。【００２９】  次に、図７について説明する。図７は、隣接する縁部８０、８２に沿ってコイルタイプの噛合エレメント７６、７８を縫着した織成又は編成のファスナーテープ７２、７４からなるジップファスナー７０を開示している。ファスナーテープは、図１乃至図６と同様である。一方のテープ７２の上に開口タイプの止具８４が既に成型されている。止具８４、８４´は、一部スライダー内に入り込み、スライダーに当接して抜け止めする。図面は、領域８６においてその縁部領域８２が切除され、切除された領域は、噛合エレメント７６、７８が存在する領域におけるテープ７２、７４の縁部間の隙間よりも大きく、そのため、コイルエレメント７８の端縁よりも陥没した縁部８８を形成するためにコイルエレメント７８を除去しテープ７４に（点線で図示された）開放型の止具８４’を成型する前の状態にある他方のテープ７４を示している。止具８４、８４’は、各噛合エレメント列の端部にある末端位置８９より下にある最後の２〜３個の噛合エレメントをカバーしている。又、止具８４、８４´の上側延長部は、コイルエレメント７８を除去した縁部８８に沿って覆い、ファスナーテープ７２、７４の端部まで延びている。【００３０】  このように、上止具においても、噛合エレメントごとに切除した縁部として、上止具を形成することで、噛合エレメントなどによる凹凸が無くなり、又、止具から縁出する延長部が、テープ縁部をカバーすることで、止具の取付強度を向上するとともに、テープ縁部との凹凸を小さく、又は、平面的なものとでき、着用者が快適に着用することが出来る。又、図７に示すファスナーテープの反対面側に形成される図１乃至図６に表す層５２のような、テープ表面に形成される層と相俟って、テープ縁部を止具とファスナーテープとが平面的に形成できる。【００３１】  次に、図８について説明する。この図は、二本の織成又は編成テープ９４、９６を連結する閉鎖型の上止具９２を備えたジップファスナー９０を示しており、これらのファスナーテープ９４、９６は、対向するテープ縁部１０２、１０４に沿ってコイルタイプの噛合エレメント９８、１００を備えている。噛合エレメント９８、１００とこれを支持するテープ縁部１０２、１０４は、噛合��レメント９８、１００の端縁より陥没したテープ縁部１０８、１１０を形成するため末端位置１０６の上で切除されている。末端位置１０６において及び切除されたテープ縁部１０８、１１０に沿い、且つテープ縁部間に配されて端部側の噛合エレメントをカバーするように止具９２が成型されている。【００３２】  図１乃至図６で説明した下止と同様に、この上止具９２によって、ファスナーテープが連結されている。上止具９２は、端部の噛合エレメントをカバーし、且つ、スライダーが抜けることを防止する止具胴体１０１を備え、止具胴体１０１は逆Ｕ字状を呈し、これによって中央に噛合エレメント９８、１００方向に開口した凹部１０７が形成される。凹部１０７は、スライダーが止具胴体に接触するときに、スライダーに備える案内柱が収容される空間でもある。又、上止具９２の止具胴体１０１の両側部に一体に形成され、ファスナーテープ上面に延出するヒレ部１０３、１０５を形成することで、上止具９２がファスナーテープと、より強力に取り付けられる。尚、図８ではその裏面側が開示されていないが、図１の止具２６の層５２のように、ファスナーテープをカバーして接着していることが好ましい。【００３３】  図９及び図１０は、インサート成型によって、即ち、ファスナー端部を成型孔１２４、１２６に配し、次に、当該成型孔１２４、１２６に止具２６の材料を注入するインサート成型によって、ジップファスナーの端部に止具を形成するための金型半体１２０、１２２を概略的に示している。この発明による方法において、上に記載されたように、ファスナー２の端部にギャップ２８が形成され、位置づけ孔６０も端部４０、４２に形成される。ファスナー端部は、層５、７が成型孔１２４の底面１２８に対面した状態で、且つ、孔６０がピン１３０に合致するような位置で配される。切断されたファスナーの端部噛合エレメントは、止具胴体４６を形成する成型孔１３４においてピン１３２によって支持される。金型半体が連結されるので、溶融したプラスチック材料が、入口１３８を通って、上止具胴体４４の形状を形成するために働く成型孔１４０に注入される間、金型半体１２２に設けられたピン１３６はファスナーを所定位置に保持するのである。【００３４】  以上、コイルタイプの噛合エレメントに関して本発明を説明してきたが、本発明は、（例えば、出願人のＶＩＳＬＯＮ（登録商標）印のファスナーのような）成型された噛合エレメントを備えたファスナーにも適用することが出来ることを理解すべきである。このような成型ファスナーを切断する代わりに、製造の際にエレメントチェーンにギャップを形成し、従って、止具を所定位置に成型する前に対向するテープ縁部の間により大きなギャップを形成したいと考えている位置でテープ縁部のみを除去する事も可能である。【００３５】  以上の発明の詳細な説明の欄には色々な具体例が記載されているけれども、これらの具体例は、本発明の範囲を限定するように解釈すべきではなく、本発明の好ましい実施例を単にいくつか提供しているものと解釈すべきである。
従って、本発明の技術的範囲は、記載された実施例に判断するものではなく、むしろ添付の特許請求の範囲及びその均等物によって判断すべきである。
【図面の簡単な説明】
【００３６】
【図１】  図１は、本発明の実施例を構成する耐水性ファスナーの正面図である。
【図２】  図２は、図１のファスナーの裏面図である。
【図３】  図３は、図１のファスナーの正面図であるが、下止具を所定位置に成型する工程の前の状態を示している。
【図４】  図４は、図１のファスナーの裏面図であるが、下止具を所定位置に成型する工程の前の状態を示している。
【図５】  図５は、図３のＶ−Ｖ線に沿って切った断面図である。
【図６】  図６は、図１のＶＩ−ＶＩ線に沿って切った断面図である。
【図７】  図７は、本発明の実施例を構成する開口型の止具を示している。
【図８】  図８は、本発明の実施例を構成する閉鎖型の上止具を示している。
【図９】  図９は、本発明の実施例を構成する止具を成型するための金型半体を概略的に示している。
【図１０】  図１０は、本発明の実施例を構成する止具を成型するための金型半体を概略的に示している。
【符号の説明】
【００３７】２          耐水性ジップファスナー
４、６      ファスナーテープ、生地テープ
５、７      テープ層
８、１０    耐水性層
１２、１４  噛合エレメント
１６        下面
１８        下面
２０、２２  隣接縁部
２４        中心線
２６        成型下止具
２８        大形ギャップ
３０、３２  対向する縁部領域
３３        末端位置
３４        胴体部
３６、３８  上面
３８        ギャップ
４０、４２  端部
４４        上側部分
４６        下側部分
４８、５０  外側縁部
５２        層
５６        領域
５８        小孔
６０        孔
６４        孔
６６        孔
７０        ジップファスナー
７２、７４  ファスナーテープ
７６        コイルタイプ噛合エレメント
７８        コイルタイプ噛合エレメント
８０        隣接縁部
８２        隣接縁部
８４’      開きタイプ止具
８４        止具
８６        領域
８８        支持テープ縁部
８９        末端位置
９０        ジップファスナー
９２        閉鎖上止具
９４        ファスナーテープ
９６        ファスナーテープ
９８、１００    コイルタイプ噛合エレメント
１０２、１０４  支持テープ縁部
１０８、１１０  切欠きテープ縁部
１２０、１２２  金型半分
１２４、１２６  成型孔
１３０          ピン
１３２          ピン
１３４          孔
１３６          ピン
１４０          孔
【図１】
2008206986.tif 000003
【図２】
2008206986.tif 000004
【図３】
2008206986.tif 000005
【図４】
2008206986.tif 000006
【図５】
2008206986.tif 000007
【図６】
2008206986.tif 000008
【図７】
2008206986.tif 000009
【図８】
2008206986.tif 000010
【図９】
2008206986.tif 000011
【図１０】
2008206986.tif 000012